(57)【要約】【課題】記憶手段に記憶された映像データから任意の映像データを、携帯端末から指定し、所望の映像データを携帯端末に表示可能とする。【解決手段】携帯端末２０から監視センタ１０に所望の監視映像の表示要求を行い（ＳＤ１）、表示要求があったとき、監視映像を記憶した映像記録端末装置３０から取得するための取得情報（第３記憶テーブル５２）を携帯端末２０に返信し（ＳＥ２）、取得情報に基づいて映像記録端末装置３０に格納された複数の監視映像から所望の監視映像を選択する選択情報（カメラＩＤ５２Ａ、通信手段５２Ｂ、ＩＰアドレス５２Ｃ）を映像記録端末装置３０に送信し（ＳＤ３）、映像記録端末装置３０で選択され、返信されてきた所望の監視映像を携帯端末２０の表示部２１に表示させる（ＳＤ４，ＳＤ５）。【選択図】図５
2017098847.tif 000002
【特許請求の範囲】
【請求項１】
監視センタと携帯端末とが通信可能に接続された映像監視システムであって、
前記携帯端末から前記監視センタに所望の監視映像の表示要求を行う手段と、
前記表示要求があったとき、前記監視映像を記憶した記憶手段から取得するための取得情報を前記携帯端末に返信する手段と、
前記取得情報に基づいて前記記憶手段に格納された複数の監視映像から所望の監視映像を選択する選択情報を前記記憶手段に送信する手段と、
前記記憶手段で選択され、当該記憶手段から返信されてきた前記所望の監視映像を前記携帯端末の表示装置に表示させる手段と、
を備えた映像監視システム。
【請求項２】
請求項１に記載の映像監視システムであって、
前記携帯端末から当該携帯端末のバッテリ残量と通信パケット残量を前記監視センタに送信する手段と、
前記監視センタに備えられ、前記バッテリ残量と映像画質及び解像度との関係、前記通信パケット残量と映像画質及び解像度との関係、並びに応答性を重視するか否かに基づいて前記監視映像の取得情報をそれぞれ記憶したテーブルと、
前記テーブルを参照して前記送信する手段によって送信された前記バッテリ残量と通信パケット残量から、前記記憶手段に格納されていた監視映像を当該前記バッテリ残量と通信パケット残量に対応する映像画質及び解像度の監視映像に変換する手段と、
前記携帯端末から応答性を重視しない表示要求があったときに、前記監視センタに対して前記送信する手段からバッテリ残量と通信パケット残量を送信し、前記記憶手段に格納していた監視映像を前記変換する手段によって前記バッテリ残量と通信パケット残量に対応した映像画質及び解像度に変換して前記携帯端末に送信して、当該携帯端末に前記変換された監視映像を表示させる手段と、
を備えた映像監視システム。
【請求項３】
請求項２に記載の映像監視システムであって、
前記応答性を重視するか否かは、前記表示要求に付随して前記携帯端末から前記監視センタに送信される情報に基づいて決定される映像監視システム。
【請求項４】
請求項１ないし３のいずれか１項に記載の映像監視システムであって、
前記記憶手段は、
当該記憶手段に接続された複数の監視カメラと、
前記複数の監視カメラ毎の記憶領域が設定された記憶部と、
前記監視センタと通信を行うための手段と、
を備えた映像監視システム。
【請求項５】
請求項４に記載の映像監視システムであって、
前記取得情報は、前記複数のカメラ毎に設定されたカメラＩＤ、通信手段及びＩＰアドレスを含む映像監視システム。
【請求項６】
請求項１ないし５のいずれか１項に記載の映像監視システムであって、
前記携帯端末が、携帯電話又はスマートフォンである映像監視システム。
【発明の詳細な説明】
【技術分野】
【０００１】
本発明は、映像監視システムに関する。
【背景技術】
【０００２】
建物の玄関、あるいはエレベータ乗りかご内等にカメラを設置し、これらのカメラが撮影した映像データを記録装置へ記録し、必要時に記録装置に記録された映像データを再生して、不審者や侵入者を特定する映像監視システムが、一般的に設置されている。まだ、インターネットを介してウェブサイトからコンテンツを取得する場合に、通信端末のスペックに合わせてコンテンツを表示部に表示できるようにする技術も例えば特開２０１０−０６１５４２号公報（特許文献１）に開示されている。
【０００３】
この特許文献１に開示された技術は、ネットワーク上に配置されるウェブサイトの位置を特定する位置情報及び前記ウェブサイトに掲載されるコンテンツを指定する指定情報が入力される入力部と、 前記入力部から前記ウェブサイトへのアクセスが要求された場合に、前記コンテンツの処理に割り当て可能な自端末のリソースをスペック情報として検出するスペック情報検出部と、 前記スペック情報、前記位置情報及び前記指定情報が含まれ、前記指定情報によって指定された前記コンテンツの取得を要求する要求メッセージを生成し、取得した前記コンテンツの処理を行う情報処理部と、 前記位置情報に対応した位置に前記ウェブサイトが構築される信号処理装置に対して、前記要求メッセージを送信し、前記信号処理装置が前記スペック情報に基づいて変換したコンテンツを受信する通信部と、 前記コンテンツに含まれる画像又は文字のいずれか一方、又は両方を表示する表示部と、を備えた通信端末である。
【先行技術文献】
【特許文献】
【０００４】
【特許文献１】特開２０１０−０６１５４２号公報
【発明の概要】
【発明が解決しようとする課題】
【０００５】
特許文献１に記載の技術は、画像等を含む表示コンテンツ情報を、通信端末機器のスペック（コンテンツの処理に割り当て可能な自端末のリソース）に合わせて変換し、最適なコンテンツを転送することを特徴としている。しかし、特に通信端末機器が携帯端末機器において、同じ携帯端末機器でも使用状況によって変化する条件、例えばバッテリ残容量あるいは通信量制限については考慮されておらず、携帯端末機器には必ずしも適してはいない。
【０００６】
一方、携帯端末機器はＢＹＯＤ（Bring Your Own Device）で使用されるケースも増えており、ユーザ自身の所有する携帯端末として使用すれば、監視用の情報端末あるいは保守用の情報端末を監視端末として用意し、持ち歩く必要がなくなる。
【０００７】
本発明は、このような背景に鑑みてなされたもので、本発明が解決しようとする課題は、記憶手段に記憶された映像データから任意の映像データを、携帯端末から指定し、所望の映像データを携帯端末に表示可能とすることにある。
【課題を解決するための手段】
【０００８】
前記課題を解決するため、本発明の一態様は、監視センタと携帯端末とが通信手段を介して接続された映像監視システムであって、前記携帯端末から前記監視センタに所望の監視映像の表示要求を行う手段と、前記表示要求があったとき、前記監視映像を記憶した記憶手段から取得するための取得情報を前記携帯端末に返信する手段と、前記取得情報に基づいて前記記憶手段に格納された複数の監視映像から所望の監視映像を選択する選択情報を前記記憶手段に送信する手段と、前記記憶手段で選択され、当該記憶手段から返信されてきた前記所望の監視映像を前記携帯端末の表示装置に表示させる手段と、を備えたことを特徴とする。
【発明の効果】
【０００９】
本発明によれば、記憶手段に記憶された映像データから任意の映像データを、携帯端末から指定し、所望の映像データを携帯端末に表示させることができる。なお、前記以外の課題、構成及び効果は、以下の実施形態の説明において明らかにされる。
【図面の簡単な説明】
【００１０】
【図１】本発明の一実施形態に係る映像監視システムの要部構成を示すブロック図である。
【図２】実施例１に係る映像監視システムの動作手順を示すフローチャートである。
【図３】実施例１において第１記憶部に格納された第１記憶テーブルの記憶項目の一例を示す図である。
【図４】実施例１において第２記憶部に格納された第２記憶テーブルの記憶項目の一例を示す図である。
【図５】実施例２に係る映像監視システムの動作手順を示すフローチャートである。
【図６】実施例２において第３記憶部に格納された第３記憶テーブルの記憶項目の一例を示す図である。
【発明を実施するための形態】
【００１１】
以下、図面を参照し、本発明の実施形態について詳細に説明する。
図１は、本発明の実施形態に係る映像監視システム全体の構成を示すブロック図である。同図において、本実施形態に係る映像監視システム１００は、インターネット１を介して通信可能に接続された監視センタ１０、携帯端末２０及び映像記録端末装置３０から基本的に構成されている。
【００１２】
監視センタ１０は、センタ制御部１１、センタ通信部１２及びセンタ記憶部１３を備えている。センタ制御部１１は、さらに、映像データ要求信号処理部１１Ａ、映像データ返信処理部１１Ｂ及び映像取得方法判定部１１Ｃを備えている。
【００１３】
センタ記憶部１３は、映像データ格納部１３Ａ、第１記憶部１３Ｂ、第２記憶部１３Ｃ、第３記憶部１３Ｄを含む。
【００１４】
携帯端末２０は、表示部２１、携帯端末制御部２２、携帯端末通信部２３、携帯端末記憶部２４及びバッテリ２５を備えている。携帯端末２０は、監視用の情報端末あるいは保守用の情報端末ではなく、例えば携帯電話あるいはスマートフォンのように監視センタ１０と双方向で通信可能であって表示装置を備えた通信端末を使用する。例えば、監視者がビルのオーナーであれば、自分のスマートフォンを使用し、自身が所有する若しくは管理するビルを監視することができる。
【００１５】
映像記録端末装置３０は、記録端末制御部３１、記録端末通信部３２、映像受信通信部３３、及び記録端末記憶部３４を備え、記録端末通信部３２には、監視カメラとして第１カメラ３５Ａ、第２カメラ３５Ｂ及び第３カメラ３５Ｃが接続されている。なお、図１では、制御部、通信部、記憶部等は監視センタ１０が備えているものか、携帯端末２０が備えているものか、映像記録端末装置３０が備えているものか明白なので、センタ、携帯端末、記録端末等の表記は省略した。
【００１６】
第１カメラ３５Ａ〜第３カメラ３５Ｃは、建物に設けられた設備機器である。例えば、第１カメラ３５Ａは、エレベータの乗りかご内に設置され、乗りかご内を撮影し、乗客の閉じ込め等を監視する。第２カメラ３５Ｂは、建物の玄関の来館者を撮影する。第３カメラ３５Ｃは、建物のエントランスにおける人の状態を監視する。
【００１７】
これら第１カメラ３５Ａ〜第３カメラ３５Ｃは映像記録端末装置３０に映像受信通信部３３を介して接続され、映像記録端末装置３０とインターネット１を介して接続される監視センタ１０のモニタ装置へ、映像データを送る。監視センタ１０では、監視員がモニタ装置に表示された第１カメラ３５Ａ〜第３カメラ３５Ｃの画像を見て、映し出された映像からエレベータ乗りかご内、監視対象の建物の玄関及びエントランスを遠隔的に監視することができる。
【００１８】
映像記録端末装置３０は、記録端末制御部３１、記録端末通信部３２、映像受信通信部３３及び記録端末記憶部３４を備えている。記録端末制御部３１は映像記録端末装置３０に設けられる機器の制御を行い、記録端末通信部３２は、記録端末制御部３１と接続され、インターネット１を介して情報の送受信を行う。映像受信通信部３３は、記録端末制御部３１と接続され、第１カメラ３５Ａ〜第３カメラ３５Ｃからの映像データを受信する。記録端末記憶部３４は、記録端末制御部３１と接続され、第１カメラ３５Ａ、第２カメラ３５Ｂ及び第３カメラ３５Ｃが撮影した第１映像データ３４Ａ、第２映像データ及び第３映像データ３４Ｃが関連付けられて格納されている。
【００１９】
また、監視センタ１０は、センタ制御部１１、センタ通信部１２及びセンタ記憶部１３を備えている。
【００２０】
センタ制御部１１は、監視センタ１０に設けられる機器の制御を行う。センタ通信部１２は、センタ制御部１１と接続され、インターネット１を介した情報の送受信を行う。センタ記憶部１３は、センタ制御部１１と接続され、センタ制御部１１の制御に使用されるデータ等を記憶する。センタ記憶部１３は、さらに、映像データ格納部１３Ａ、バッテリ残量と映像画質解像度の関係を記憶する第１記憶部１３Ｂ、パケット残量と映像画質解像度の関係を記憶する第２記憶部１３Ｃ、及び映像取得に必要な情報を記憶する第３記憶部１３Ｄの各記憶領域が少なくとも設定されている。
【００２１】
映像データ格納部１３Ａは、センタ制御部１１の指令で第１映像データ３４Ａ〜第３映像データ３４Ｃを格納する領域である。バッテリ残量と映像が知る解像度一覧表（テーブル）１３Ｂは、後述する携帯端末２０へ返信する携帯端末２０のバッテリ残量と映像画質、解像度の関係を記憶する領域である。パケット残量と映像画質解像度一覧表１３Ｃは、携帯端末２０へ返信する携帯端末２０の通信パケット残量と映像画質、解像度の関係を記憶する領域である。第３記憶部１３Ｄは、第１映像データ３４Ａ〜第３映像データ３４Ｃを遠隔的に取得するための通信手段とＩＰアドレスを対応付けた情報を記憶する領域であり、映像を取得するための情報を記憶する。
【００２２】
また、携帯端末２０は、表示部２１、携帯端末制御部２２、携帯端末通信部２３、携帯端末記憶部２４及びバッテリ２５を備えている。
【００２３】
表示部２１は、携帯端末制御部２２と接続され、ユーザに必要な情報を表示し、また、ユーザが入力に使用するユーザインターフェイスである。携帯端末制御部２２は、携帯端末２０に設けられる機器及び各部の制御を司る。携帯端末通信部２３は、携帯端末制御部２２と接続され、インターネット１を介した情報の送受信を行う。携帯端末記憶部２４は、携帯端末制御部２２と接続され、携帯端末で表示する情報及び携帯端末で使用する情報等を記憶する。バッテリ２５は携帯端末２０の各部に電力を供給する電源である。
【００２４】
大略前記のように構成された映像監視システム１００では、建物で侵入者を検知し、玄関に設けた防犯装置が作動した場合、前記ビルのオーナーなどの監視者の携帯端末２０に電話若しくは警告音などで前記作動が通知される。この通知を受けた監視者は、インターネット１を介して携帯端末２０を監視センタ１０に接続する。そして、携帯端末２０から監視センタ１０に対して玄関に設けた第２カメラ３５Ｂが撮影した第２映像データ３４Ｂを取得する旨の映像データ要求情報を送信する。監視センタ１０のセンタ制御部１１の映像データ要求信号処理部１１Ａは、当該要求信号に見合った映像記録端末装置３０の記録端末記憶部３４に格納される第２映像データ３４Ｂを、インターネット１を介して取得する。そして、取得した第２映像データ３４Ｂを映像データ格納部１３Ａへ格納する。これと並行して映像データ返信処理部１１Ｂを起動し、該当の第２映像データ３４Ｂを、インターネット１を介して携帯端末２０へ返信する。
【００２５】
また、映像取得方法判定部１１Ｃは、携帯端末２０からの映像データ取得要求が、ライブ映像表示など応答性重視の映像データ取得要求の場合、映像データ取得方法を判断し、携帯端末２０に対して第３記憶部１３Ｄを返信する。携帯端末２０は返信された第３記憶部１３Ｄからの情報に基づいて記録端末記憶部３４に格納される該当する第１映像データ３４Ａ〜第３映像データ３４Ｃを、インターネット１を介して取得する。
【実施例１】
【００２６】
図２は、上記のように大略構成された映像監視システム１００の実施例１に係る動作手順をフローチャートである。
【００２７】
映像監視をしている建物で玄関に設けた防犯装置が動作する異常があった場合、異常発生時の映像データを確認するために、監視者は、自身が携帯する携帯端末２０を、インターネット１を介して監視センタ１０にログインさせる。これにより、携帯端末２０と監視センタ１０が通信可能な状態になる。次に、監視者は、携帯端末２０を操作し、玄関の周囲を撮影している第２カメラ３５Ｂと、防犯装置が動作した日時に基づき、映像データを確認する日時範囲を指定し、監視センタ１０のセンタ制御部１１へ映像データ要求情報を送信する（ステップＳＡ１：図では、ステップＳを単にＳと記す。以下、同様。）。
【００２８】
前記操作は、予め記憶されている操作画面を表示部２１に呼び出し、その表示部２１に表示された操作画面から選択し、あるいは入力することにより行われる。以下、同様。
【００２９】
監視センタ１０では、センタ制御部１１が携帯端末２０からステップＳＡ１で送られた映像データ要求情報を受信すると（ステップＳＢ１）、センタ制御部１１は映像データ要求信号処理部１１Ａを起動し、インターネット１を介して映像記録端末装置３０に対して映像データ要求を行う（ステップＳＢ２）。映像端末装置３０は、映像データ要求を受信すると（ステップＳＣ１）、後述するように第２映像データ３４Ｂを監視センタ１０に返信する（ステップＳＣ２）。
【００３０】
一方、携帯端末２０は、バッテリ２５の残量を確認し、バッテリ２５の残量情報、携帯端末２０のハードスペック情報（例えば、ＣＰＵ種別、メモリ容量など）、定額料金で通信可能な通信パケット残量情報、及び通信手段（例えば、無線ＬＡＮ、電話会社の無線回線など）の情報を、監視センタ１０のセンタ制御部１１へ送信する（ステップＳＡ２）。これに応じて、センタ制御部１１は、携帯端末２０からバッテリ残量情報、ハードスペック情報、通信パケット残量、通信手段の各情報を受信する（ステップＳＢ３）。
【００３１】
映像記録端末装置３０の記録端末制御部３１は、ステップＳＢ２で監視センタ１０から送信される映像データ要求情報の受信を確認すると（ステップＳＣ１）、当該映像データ要求情報に該当する映像データを記録端末記憶部３４の第２映像データ３４Ｂから抽出し、監視センタ１０へ配信する（ステップＳＣ２）。
【００３２】
監視センタ１０のセンタ制御部１１は、ステップＳＣ２における映像記録端末装置３０から返信される第２映像データ３４Ｂの受信を確認すると第２映像データ３４Ｂをセンタ記憶部１３の映像データ格納部１３Ａに格納する（ステップＳＢ４）。センタ制御部１１は、さらに、ステップＳＢ３で携帯端末２０から受信したバッテリ残量などの各種の情報に基づいて、映像記録端末装置３０から返信され、映像データ格納部１３Ａに格納した映像データの画質・解像度を、最適な通信状態で携帯端末２０に返信するための映像データに変換する（ステップＳＢ５）。監視センタ１０のセンタ制御部１１は映像データ返信処理部１１Ｂを起動し、映像データ返信処理部１１Ｂは、ステップＳＢ５で変換された当該映像データを、インターネット１を介して携帯端末２０へ返信する（ステップＳＢ６）。
【００３３】
ステップＳＢ６で監視センタ１０から映像データが返信された携帯端末２０の携帯端末制御部２２は、映像データの受信が完了すると（ステップＳＡ３）、
ステップＳＡ４の処理を実行する。ステップＳＡ４では、ステップＳＡ１で監視センタ１０へ送信した映像データ要求情報により指定された日時範囲で、第２カメラ３５Ｂが撮影した玄関周りの映像データを表示部２１へ表示させる。
【００３４】
これにより、チェックしたい思った監視映像を、監視者は監視センタ１０を介して携帯端末２０から見ることができる。
【００３５】
図３は、第１記憶部１３Ｂに格納された第１記憶テーブル５０の記憶項目の例を示す図である。図４は、第２記憶部１３Ｃに格納された第２記憶テーブル５１の記憶項目の例を示す図である。第１記憶テーブル５０には、バッテリ残量５０Ａと映像データの映像画質５０Ｂ及び解像度５０Ｃとの変換情報が格納され、第２記憶テーブル５１には、当月に定額料金で通信可能な通信パケット残量５１Ａと映像データの映像画質５１Ｂ、解像度５１Ｃの変換情報が格納されている。
【００３６】
図３において、携帯端末２０から通知される携帯端末２０のバッテリ残量５０Ａが記載の残容量の場合、それに対応する映像画質５０Ｂ、及び解像度５０Ｃの画像に変換することを示している。例えば、バッテリ残量５０Ａが２５％以上５０％未満の場合、映像画質５０Ｂは「中」に、解像度５０Ｃは「６４０×４８０ドット」に、という具合である。
【００３７】
一方、図４において、携帯端末２０から通知される携帯端末２０の通信パケット残量５１Ａが２５％未満の場合、映像画質５１Ｂは「低」に、解像度５１Ｃは「３２０×２４０ドット」という具合である。
【００３８】
ステップＳＢ５では、これらの第１記憶テーブル５０と第２記憶テーブル５１とを参照して映像データを変換し、ステップＳＢ６で携帯端末２０に返信する。携帯端末２０は、受信した映像データに基づいて表示部２１に映像を表示する。
【００３９】
本実施例によれば、携帯端末２０のような簡易的な端末装置から、図示しない建物に設置される第１カメラ３５Ａ〜第３カメラ３５Ｃの中から任意のカメラを指定し、さらに任意の日時を指定する。これにより、携帯端末２０から第１カメラ３５Ａ〜第３カメラ３５Ｃの設置場所での目的のカメラ映像の表示確認を行うことができる。その結果、侵入者の監視映像の取得前後の移動や行動を的確に推測でき、被害状況を迅速に把握し、あるいは、第１カメラ３５Ａ〜第３カメラ３５Ｃの映像データを追尾することによって侵入者の特定の精度を向上させることができる。
【００４０】
また、携帯端末２０の状態、例えばバッテリ残量や通信パケット残量に合わせて、自動的に映像データのサイズを変換し、携帯端末に配信することによりバッテリ持続を向上させ、さらに通信パケット量の抑制も可能となる。
【実施例２】
【００４１】
実施例２は応答性の高さを重視した例である。すなわち、図２のフローチャートに示した実施例１の処理手順では、監視センタ１０を介して映像データを表示するため、ライブ映像のような応答性重視の映像データを表示するには、応答性の低さが問題となる。実施例２は、このように応答性の低さに対応したものである。
【００４２】
図５は、実施例３に動作手順を示すフローチャートである。映像監視システム１００のシステム構成自体は、図１に示したものである。
【００４３】
監視者は、携帯端末２０を操作し、玄関の周囲を撮影している第２カメラ３５Ｂのライブ映像の表示要求であるデータ要求情報を監視センタ１０のセンタ制御部１１に送信する（ステップＳＤ１）。その際、応答性重視の情報を合わせて送信する。応答性重視の情報は例えばフラグ立てるか否かによって設定できる。この場合、実施例１では、フラグを‘０’とし、実施例２では‘１’として、前記データ要求情報に付随させる。
【００４４】
携帯端末２０から映像データ要求情報を受信（ステップＳＥ１）したセンタ制御部１１は、映像取得方法判定部１１Ｃを起動する。そして、記憶部１３の第３記憶部１３Ｄを参照し、携帯端末２０に対して映像取得手段を返信する（ステップＳＥ２）。携帯端末２０は、監視センタ１０から映像取得手段を受信（ステップＳＤ２）すると、インターネット１を介して映像記録端末装置３０に対して映像データ要求を行う（ステップＳＤ３）。この要求を受けた映像記録端末装置３０の記録端末制御部３１は、携帯端末２０から送信される映像データ要求情報の受信を確認すると（ステップＳＦ１）、当該映像データ要求情報に該当する映像データを記憶部３４の第２映像データ３４Ｂから抽出し、携帯端末２０へ返信する（ステップＳＦ２）。
【００４５】
ステップＳＦ２で映像記録端末装置３０から第２映像データ３４Ｂの返信を受けた携帯端末２０の携帯端末制御部２２は、映像データの返信が完了すると（ステップＳＤ４）、ステップＳＤ５の処理に移行する。ステップＳＤ５では、ステップＳＤ３で要求した映像データ要求情報により指定された日時範囲で、第２カメラ３５Ｂが撮影した玄関周りの映像データが表示部２１へ表示される。これにより、チェックしたい思った監視映像を、監視者は監視センタ１０を介さずに携帯端末２０から見ることができる。
【００４６】
図６は、カメラ毎の映像データを取得するための第３記憶部１３Ｄの第３記憶テーブル５２の記憶項目の例を示す図である。第３記憶テーブル５２は、映像取得手段（映像取得情報）を格納したテーブルである。カメラＩＤ５２Ａに対する映像取得手段の情報として、通信手段５２Ｂ、ＩＰアドレス５２Ｃが格納されている。
【００４７】
これにより、第１カメラ３５Ａからの監視画像を取得したい場合、第１カメラ３５ＡのカメラＩＤ５２Ａである‘００１’の欄を参照すると、通信手段５２Ｂは‘ＨＴＴＰＳ’、ＩＰアドレスは‘１０．１１．１２．１３’であることが分かるので、カメラＩＤ５２Ａで‘００１’を指定してＩＰアドレス５２の‘１０．１１．１２．１３’の画像データを取得する。第２カメラ３５Ｂ、第３カメラ３５Ｃの場合も同様にして所望の画像データを取得し、表示部２１に表示させることができる。
【００４８】
本実施例によれば、実施例１の効果に加えて、ライブ映像のように応答性重視の場合に、カメラＩＤ５２Ａを切り替えて現地カメラ映像を直接携帯端末２０の表示部２１に取り込むことができる。そのため、応答性が向上し侵入者確認の精度の向上を図ることができる。
【００４９】
以上説明したように、本実施形態によれば、次のような効果を奏する。なお、以下の説明では、特許請求の範囲における各構成要素と本実施形態の各部とを対応させ、用語が異なる場合には、後者をかっこ書きで示している。
【００５０】
（１）  監視センタ１０と携帯端末２０とが通信可能（インターネット１）に接続された映像監視システム１００であって、前記携帯端末２０から前記監視センタ１０に所望の監視映像の表示要求を行う手段（携帯端末制御部２２、携帯端末通信部２３、ステップＳＤ１）と、前記表示要求があったとき、前記監視映像を記憶した記憶手段（映像記録端末装置３０）から取得するための取得情報（第３記憶テーブル５２）を前記携帯端末２０に返信する手段（センタ制御部１１、センタ通信部１２、ステップＳＥ２）と、前記取得情報に基づいて前記記憶手段に格納された複数の監視映像から所望の監視映像を選択する選択情報（カメラＩＤ５２Ａ、通信手段５２Ｂ、ＩＰアドレス５２Ｃ）を前記記憶手段に送信する手段（携帯端末制御部２２、携帯端末通信部２３、ステップＳＤ３）と、前記記憶手段で選択され、当該記憶手段から返信されてきた前記所望の監視映像を前記携帯端末の表示部２１に表示させる手段（ステップＳＤ４，ＳＤ５）と、を備えたので、携帯端末２０から記憶手段（映像記録端末装置３０）に記憶された監視映像から所望の監視映像を指定し、携帯端末２０の表示部２１に表示させることができる。
【００５１】
（２）  （１）に記載の映像監視システム１００において、前記携帯端末２０から当該携帯端末２０のバッテリ残量と通信パケット残量を前記監視センタ１０に送信する手段（携帯端末制御部２２、携帯端末通信部２３、ステップＳＡ２）と、前記監視センタ１０に備えられ、前記バッテリ残量と映像画質及び解像度との関係、前記通信パケット残量と映像画質及び解像度との関係、並びに応答性を重視するか否かに基づいて前記監視映像の取得情報をそれぞれ記憶したテーブル（第１記憶テーブル５０、第２記憶テーブル５１、第３記憶テーブル５２）と、前記テーブルを参照して前記送信する手段によって送信された前記バッテリ残量と通信パケット残量から、前記記憶手段に格納されていた監視映像を当該前記バッテリ残量と通信パケット残量に対応する映像画質及び解像度の監視映像に変換する手段（センタ制御部１１、ステップＳＢ５）と、前記携帯端末２０から応答性を重視しない表示要求があったとき（ステップＳＡ１）に、前記監視センタ１０に対して前記送信する手段からバッテリ残量と通信パケット残量を送信し、前記記憶手段に格納していた監視映像を前記変換する手段によって前記バッテリ残量と通信パケット残量に対応した映像画質及び解像度に変換して前記携帯端末２０に送信（ステップＳＳＢ６）して、当該携帯端末２０に前記変換された監視映像を表示させる手段（携帯端末制御部２２、表示部２１、ステップＳＡ３，ＳＡ４）と、を備えたので、応答性を重視しない場合には、監視センタ１０の映像データ格納部１３Ａから監視映像を取り出して携帯端末２０に表示させることができる。その際、携帯端末２０のスペックに合わせて映像画質及び解像度を変更して表示することができる。
【００５２】
（３）  （２）に記載の映像監視システム１００において、前記応答性を重視するか否かは、前記表示要求に付随して前記携帯端末２０から前記監視センタ１０に送信される情報（フラグ情報）に基づいて決定されるので、簡単な情報で、映像記録端末装置３０から直接監視映像を取得する（図５）か、監視センタ１０から監視映像を取得する（図２）か、を指定して所望の監視映像を携帯端末２０に表示させることができる。
【００５３】
（４）  （１）〜（３）のいずれかに記載の映像監視システム１００において、前記記憶手段（映像記録端末装置３０）は、当該記憶手段に接続された複数の監視カメラ（第１カメラ３５Ａ〜第３カメラ３５Ｃ）と、前記複数の監視カメラ毎の記憶領域（第１映像データ３４Ａ〜第３映像データ３４Ｃ）が設定された記憶部（記録端末記憶部３４）と、前記監視センタ１０と通信を行うための手段（記録端末制御部３１、記録端末通信部３２）と、を備えたので、複数のカメラ毎に撮影された監視画像と映像データを明確に対応付けすることが可能となり、所望の監視画像を間違いなく表示させることができる。
【００５４】
（５）  （４）に記載の映像監視システム１００において、前記取得情報（映像取得手段：第３記憶テーブル５２）は、前記複数のカメラ毎に設定されたカメラＩＤ＿５２Ａ、通信手段５２Ｂ及びＩＰアドレス５２Ｃを含むので、この第３記憶テーブル５２を参照することにより、所望の監視映像の映像データを映像記録端末装置３０から直接取得することができる。
【００５５】
（６）  （１）〜（５）のいずれかに記載の映像監視システム１００において、前記携帯端末２０が、携帯電話又はスマートフォンであるので、ユーザの機器を使用する所謂ＢＹＯＤとしてシステムを構築することができる。これにより、ユーザは通常持ち歩く携帯電話又はスマートフォンを監視端末２０として利用することができ、特に本映像監視システム１００のために携帯端末２０を用意する必要がなくなる。
【００５６】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施例は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００５７】
１  インターネット
１０  監視センタ
１１  センタ制御部
１２  センタ通信部
１３  センタ記憶部
２０  携帯端末
２１  表示部
２２  携帯端末制御部
２３  携帯端末通信部
２４  携帯端末記憶部
３０  映像記録端末装置
３１  記録端末制御部
３２  記録端末通信部
３３  記録端末通信部
３４  記録端末記憶部
３４Ａ  第１映像データ
３４Ｂ  第２映像データ
３４Ｃ  第３映像データ
３５Ａ  第１カメラ
３５Ｂ  第２カメラ
３５Ｃ  第３カメラ
５０  第１記憶テーブル
５１  第２記憶テーブル
５２  第３記憶テーブル
５２Ａ  カメラＩＣ
５２Ｂ  通信手段
５２Ｃ  ＩＰアドレス
１００  映像監視システム
【図１】
2017098847.tif 000003
【図２】
2017098847.tif 000004
【図３】
2017098847.tif 000005
【図４】
2017098847.tif 000006
【図５】
2017098847.tif 000007
【図６】
2017098847.tif 000008